(57)【要約】    【課題】  本発明は、安定性及び耐久性を高めた庇付きブロックを提供することにある。    【解決手段】    本発明に係る庇付きブロックＡは、垂直壁部１０と、該垂直壁部１０の下部に形成されたベース部２０とからなり、ベース部２０は、垂直壁部１０を支持して、庇付きブロックＡの自立安定性を向上させ、転倒を防止する作用・効果を果たす。  前記垂直壁部１０には、その下部に傾斜面１０ａが形成されており、該垂直壁部１０の傾斜面１０ａからから外方に突出する庇部１９が設けられている。この庇部１９は、上側傾斜面１９ａと下側傾斜面１９ｂとからなり、上側傾斜面１９ａの傾斜角ａより下側傾斜面１９ｂの傾斜角ｂが緩く形成されている。そして、本実施例においては、垂直壁部１０の下部の傾斜面１０ａが庇部１９の上側傾斜面１９ａを兼ねて形成されており、庇部１９の下側傾斜面１９ｂの基部１９ｃから下方に垂直壁部１０の下部の傾斜面１０ａが続くように構成されている。【選択図】        図２
2006219915.tif 000002
【特許請求の範囲】
【請求項１】
垂直壁部を有するブロックにおいて、前記ブロックの垂直壁部から外方に突出する庇部を設けたことを特徴とする庇付きブロック。
【請求項２】
垂直壁部と該垂直壁部の下部に設けたベース部とからなるブロックにおいて、前記ブロックの垂直壁部からベース部側の外方に突出する庇部を設けたことを特徴とする庇付きブロック。
【請求項３】
垂直壁部が、その下部に傾斜面が形成され、その傾斜面に庇部が設けられていることを特徴とする請求項１又は２に記載の庇付きブロック。
【請求項４】
庇部が上側傾斜面と下側傾斜面とからなり、上側傾斜面の傾斜角より下側傾斜面の傾斜角を緩くしたことを特徴とする請求項１〜３のいずれか１項に記載の庇付きブロック。
【請求項５】
垂直壁部下部の傾斜面が庇部の上側傾斜面を兼ね、庇部の下側傾斜面の基部から下方に垂直壁部下部の傾斜面が続くように構成したことを特徴とする請求項３に記載の庇付きブロック。
【発明の詳細な説明】
【技術分野】
【０００１】
本発明は、塀、安全柵、擁壁などの起立構築物に使用される土木用又は建築用のブロックに関し、特に起立安定性及び耐久性を向上させた庇付きのブロックに関する。
【背景技術】
【０００２】
従来より土木用又は建築用のコンクリート製のブロックは工場で生産され、これを現場に運び、現場に設置して固定する方式が採用されている。その固定方法としては、ブロックの下部周囲に鉄筋を張り巡らせた後、生の基礎コンクリートを充填して鉄筋と共にブロックの下部を埋め固める等の方法によりブロックを固定することが一般的である。
【発明の開示】
【発明が解決しようとする課題】
【０００３】
しかしながら、上記従来のブロックの固定方法では、ブロックを構成する硬化コンクリートに対して生の基礎コンクリートを充填することとなるため、硬化コンクリートと生の基礎コンクリートとの接着力が弱い。したがってブロック下部とブロック下部を埋める基礎コンクリートとの結合性が十分でないので、衝撃や振動などによりブロック下部とブロック下部を埋める基礎コンクリートが離間しやすく、その隙間に雨水などが浸入して固定されたブロックに十分な安定性及び耐久性が得られなかった。また、ブロックを構成する硬化コンクリートに対して生の基礎コンクリートをどの程度打設するかを一定にすべきところ、そのような目安となる標示がブロックに設けていないため、安定性の一定化が不十分となる場合があった。
【０００４】
そこで、本発明者は、上記従来のブロックに対する種々の問題点に鑑み、鋭意研究を重ねた結果、安定性及び耐久性を高めた庇付きのブロックを開発した。
【課題を解決するための手段】
【０００５】
本発明に係る庇付きブロックは、垂直壁部を有するブロックにおいて、前記ブロックの垂直壁部から外方に突出する庇部を設けたことを特徴とするものである。
【０００６】
なお、垂直壁部と該垂直壁部の下部に設けたベース部とからなるブロックにおいて、前記ブロックの垂直壁部からベース部側の外方に突出する庇部を設けた構成としてもよい。
【０００７】
上記のような庇付きブロックにおいて、垂直壁部が、その下部に傾斜面が形成され、その傾斜面に庇部が設けられるように構成してもよい。
【０００８】
さらに、庇部が上側傾斜面と下側傾斜面とからなり、上側傾斜面の傾斜角より下側傾斜面の傾斜角を緩くした構成としてもよい。
【０００９】
さらにまた、上記の構成に加え、垂直壁部下部の傾斜面が庇部の上側傾斜面を兼ね、庇部の下側傾斜面の基部から下方に垂直壁部下部の傾斜面が続くように構成してもよい。
【００１０】
上記のように構成したことにより、庇付きブロックにおける庇部を基礎コンクリートを打設する標示として使用すれば、常に一定の基礎コンクリートを打設することができ、安定性に優れたものとなる。また、
また、ブロックを構成する硬化コンクリートに対して生の基礎コンクリートを充填した場合、衝撃や振動などによりブロック下部とブロック下部を埋める基礎コンクリートとの間に隙間が生じても、庇部により雨水などの浸入を防止することができる。
【００１１】
この庇付きブロックを採用すれば、ブロックの起立状態における安定性が向上し、耐久性を向上させることができる。
【発明の効果】
【００１２】
本発明に係る庇付きブロックは、上記のような構成により、従来のブロックに対する種々の問題点を解決し、当該ブロックの設置後の塀、安全柵、擁壁などの起立構築物の安定性及び耐久性を高め、衝撃や振動による影響を少なくし、倒壊や崩壊を最小限度にとどめることができるものであり、また、塀、安全柵、擁壁などの起立構築物を容易でかつ短期間にブロックを設置することを可能とするものである。
【発明を実施するための最良の形態】
【００１３】
以下に本発明の好適な実施例を添付の図に基いて詳細に説明する。
【実施例１】
【００１４】
図１〜図６は実施例１に係る庇付きブロックを示す図であって、図１は正面図、図２は側面図、図３は平面図、図４は斜視図、図５は底面図、図６は背面図であり、図７は実施例１に係る庇付きブロックの施工状態を表す側面図である。
【００１５】
図１〜図７において、Ａは庇付きブロックであって、該庇付きブロックＡは、垂直壁部１０と、該垂直壁部１０の下部に形成されたベース部２０とからなり、ベース部２０は、垂直壁部１０を支持して、庇付きブロックＡの自立安定性を向上させ、転倒を防止する作用・効果を果たす。
【００１６】
前記垂直壁部１０には、その下部に傾斜面１０ａが形成されており、該垂直壁部１０の傾斜面１０ａからから外方に突出する庇部１９が設けられている。この庇部１９は、上側傾斜面１９ａと下側傾斜面１９ｂとからなり、上側傾斜面１９ａの傾斜角ａより下側傾斜面１９ｂの傾斜角ｂが緩く形成されている。そして、本実施例においては、垂直壁部１０の下部の傾斜面１０ａが庇部１９の上側傾斜面１９ａを兼ねて形成されており、庇部１９の下側傾斜面１９ｂの基部１９ｃから下方に垂直壁部１０の下部の傾斜面１０ａが続くように構成されている。
【００１７】
また、該庇付きブロックＡの垂直壁部１０の両側には垂直溝１１が形成されており、この垂直溝１１と隣接する庇付きブロックＡの垂直溝とから形成される垂直方向の孔にコンクリートを充填して固化させることにより、隣接するブロック同士を接合する役割を果たす。さらに裏面には高さ調節部材１３が配されており、高さ調節部材１３は、そのネジ部材１４を垂直壁部１０及びベース部２０の裏面に取り付けたナット部材に対してねじることにより、ネジ部材１４を上下させて垂直壁部１０とベース部２０との高さ調節や水平調節ができるようになっている。
【００１８】
さらに、該庇付きブロックＡは、該垂直壁部１０の頂部１５には、その幅方向端部１６に横溝１７が設けられており、該横溝中の適宜個所に縦穴を設けて、隣接する庇付きブロック同士を繋ぐように該縦穴にコの字型鉄筋を差し込み、該横溝１７にコンクリートを充填して固定すると、隣接する庇付きブロック同士が強固に固定される。
【００１９】
そして、該庇付きブロックＡ内には、垂直壁部１０からベース部２０に至る複数の屈曲鉄筋３０が複数の水平鉄筋３１と交差させて配されており、ベース部２０内の屈曲鉄筋３０の端部に、ベース部３０の外方から庇付きブロックＡの下部を支持するブロック下部支持鉄筋４０を接続するための結合構造を備えられている。すなわち、前記ブロック下部支持鉄筋４０は、その先端がねじ切りされた雄ネジ部を有する鉄筋であり、結合構造は、該雄ネジ部に螺合する雌ネジ部を有する筒状部材３２である。
【００２０】
上記の構成よりなる庇付きブロックＡはの施工手順について詳述する。図７に示すように、庇付きブロックＡを立設する個所を含めて基礎コンクリートＤを打設する部分までクラッシャランＢを配し、該クラッシャランＢ上の庇付きブロックＡを立設する個所に均しコンクリートＣを配し硬化させ、この硬化した均しコンクリートＣ上に庇付きブロックＡを立設する。そして、このようにして連立させた庇付きブロックＡに対し、高さ調節部材１３に庇付きブロックＡの高さ及び水平を調節する。そして、基礎コンクリートＤに埋設されるブロック下部支持鉄筋４０をベース部２０内の屈曲鉄筋３０に結合すべく筒状部材３２にねじ込んで結合し、その後、ブロック下部支持鉄筋４０の上に押さえ鉄筋８０を配して、ブロック下部支持鉄筋４０及び押さえ鉄筋８０が埋没するように予定量のコンクリートを打設して基礎コンクリートＤを形成する。
【００２１】
この基礎コンクリートＤを形成するためにコンクリートを打設する際、庇付きブロックＡの底面と均しコンクリートＣの上面との空間部にコンクリートが充分に充填されるように流し込む。また、ベース部２０の上面と庇部１９の下側傾斜面１９ｂとの間を、その間の傾斜面１０ａに達するまで充分にコンクリートを充填する。この場合に、庇部１９がコンクリート充填の基準位置としての標示となるので、常に一定高さの基礎コンクリートＤが形成される。また、このように基礎コンクリートＤを打設すると、衝撃や振動などにより庇付きブロックＡの下部と該庇付きブロックの下部を埋める基礎コンクリートＤとの間に隙間が生じても、垂直壁部１０から垂下する雨水などが傾斜面１０ａと連続する庇部１９の上側傾斜面１９ａを伝って、ベース部２０の上面に流れ込んで排出される。したがって、垂直壁部１０から垂下する雨水などが、例えば庇部１９の下側傾斜面１９ｂから庇部１９下方の傾斜面１０ａを伝って、ベース部２０の上面に達し、やがて庇付きブロックＡと基礎コンクリートＤとの境界部全体に雨水が浸入するようなことが完全に防止できる。
【００２２】
上記のように本実施例に係る庇付きブロックａを構成したことにより、庇付きブロックＡにおける庇部１９を基礎コンクリートＤを打設する標示として使用すれば、常に一定の基礎コンクリートを打設することができ、安定性に優れたものとなる。また、庇付きブロックＡを構成する硬化コンクリートに対して生のコンクリートを充填して基礎コンクリートＤを形成した場合、衝撃や振動などにより庇付きブロックＡの下部とブロック下部を埋める基礎コンクリートＤとの間に隙間が生じても、庇部１９により雨水などの浸入を防止することができる。
【００２３】
また、本実施例の庇付きブロックＡは、ブロックＡのベース部２０に、該ブロックＡの設置安定性を向上させ、衝撃や振動に対するブロックＡの下部の影響を少なくするためのブロック下部支持鉄筋４０を容易に結合することができるので、便利である。また、ブロックＡの固定方法も、上述したように、ブロックＡを設置してその高さや水平を高さ調節部材１３により調節して仮止めした後、ブロックＡにブロック下部支持鉄筋４０を結合し、適宜補強用の鉄筋を配設して生の基礎コンクリートでブロックＡの下部を固めるだけで、容易でかつ短期間に塀、安全柵、擁壁などの起立構築物を完成させることができる。
【００２４】
さらに、ブロックＡの頂部１５に横溝１７及び縦穴１８を設け、コの字型鉄筋を用意しておくことにより、該ブロックＡを幅方向に連設した場合に、隣接する各ブロックＡの横溝１７に形成する縦穴を跨ぐようにコの字型鉄筋を差し込むことができ、該コの字型鉄筋が埋没するように縦穴及び横溝１７にコンクリートを充填すれば、各ブロックＡを幅方向に固定することが可能となる。したがって、ブロックＡは、その起立状態における安定性が向上し、倒壊するのを防止することができる。
【００２５】
なお、上記の各実施例は、これに限定されるものではなく、特許請求の範囲に記載した広範囲な実施形態を包含するものである。
【産業上の利用可能性】
【００２６】
本発明に係るブロックは、塀、安全柵、擁壁などの起立構築物に使用される土木用又は建築用のブロックである。
【図面の簡単な説明】
【００２７】
【図１】実施例１に係る庇付きブロックを示す正面図である。
【図２】実施例１に係る庇付きブロックを示す側面図である。
【図３】実施例１に係る庇付きブロックを示す平面図である。
【図４】実施例１に係る庇付きブロックを示す斜視図である。
【図５】実施例１に係る庇付きブロックを示す底面図である。
【図６】実施例１に係る庇付きブロックを示す背面図である。
【図７】実施例１に係る庇付きブロックの施工状態を示す側面図である。
【符号の説明】
【００２８】
Ａ・・・・庇付きブロック          Ｂ・・・・クラッシャラン
Ｃ・・・・均しコンクリート        Ｄ・・・・基礎コンクリート
１０・・・垂直壁部                １０ａ・・垂直壁部の傾斜面
１１・・・垂直溝                  １３・・・高さ調節部材
１４・・・ネジ部材                １５・・・垂直壁部の頂部
１６・・・垂直壁部の端部          １７・・・横溝
１９・・・庇部                    １９ａ・・上側傾斜面
１９ｂ・・下側傾斜面              １９ｃ・・庇部の基部
ａ・・・・上側傾斜面の傾斜角      ｂ・・・・下側傾斜面の傾斜角
２０・・・ベース部                ３０・・・屈曲鉄筋
３１・・・水平鉄筋                ３２・・・筒状部材
４０・・・ブロック下部支持鉄筋    ８０・・・押さえ鉄筋
【図１】
2006219915.tif 000003
【図２】
2006219915.tif 000004
【図３】
2006219915.tif 000005
【図４】
2006219915.tif 000006
【図５】
2006219915.tif 000007
【図６】
2006219915.tif 000008
【図７】
2006219915.tif 000009